(57)【要約】【課題】部品点数の増加を抑えつつ、操作パネルに対して弾性力を付与する付勢部のボビン部を回転可能に保持するコンロを提供する。 【解決手段】ガスコンロ１は、操作パネル６０と、操作パネル６０を支持する支持部４６と、付勢部５０と、を備える。操作パネル６０は、保持部１１０を有する。付勢部５０は、細長の弾性部材５１と、ボビン部５２と、を有する。弾性部材５１は、一端側がボビン部５２に保持され、他端側が支持部４６に取り付けられる。保持部１１０は、付勢部５０のボビン部５２の両側の軸部を掛ける一対の保持壁１１２，１１３を備える。保持壁１１２，１１３の各々には、壁上端から下方に延びる第１スリット部１１４と、第１スリット部１１４の下端側の所定部位から前側に延びる第２スリット部１１６と、が形成されている。付勢部５０は、ボビン部５２の両側の軸部５３が各々の第２スリット部１１６に入りこんだ状態で支持される。【選択図】図１８
2020085421.tif 000002
【特許請求の範囲】
【請求項１】
ガスバーナを収容する筐体と、
前記筐体の前部に固定されるフロント部材と、
前記フロント部材に対して変位可能に取り付けられ、前記フロント部材の前側に突出した前方位置と前記前方位置のときよりも後方側に退避した退避位置とに変位する操作パネルと、
細長の弾性部材と、前記弾性部材が巻かれるとともに前記弾性部材の一端側を保持するボビン部と、を有し、前記ボビン部において前記弾性部材が巻かれる部分の両側に軸部が設けられてなる付勢部と、
を備え、
前記付勢部は、前記弾性部材の少なくとも一部が延びて延出部位となる第１状態と、前記第１状態のときの前記延出部位が前記ボビン部に巻かれる第２状態と、に変化し、前記第１状態のときに前記弾性部材において前記第２状態に復帰しようとする力が生じる構成であり、
前記操作パネルは、上面側に操作部が設けられてなるパネル本体と、前記パネル本体と一体的に構成されるとともに、前記パネル本体から後方側に延びる延設部と、を有し、
前記延設部には、前記ボビン部を回転可能に保持する保持部が形成され、
前記フロント部材は、前記操作パネルの下方に配置されるとともに自身の一部によって前記操作パネルを下方側から支持する支持部と、前記弾性部材の他端側の被取付部を取り付ける取付部と、を有し、前記操作パネルが前記前方位置と前記退避位置との間で変位することに応じて、前記保持部と前記取付部との前後方向の距離が変化する構成であり、
前記保持部は、前記ボビン部の両側の軸部を掛ける一対の保持壁を備え、
前記一対の保持壁の各々には、壁上端から下方に延びる第１スリット部と、前記第１スリット部の下端側の所定部位から前側に延びる第２スリット部と、が形成されており、
前記操作パネルが前記退避位置にあるときに前記保持部と前記取付部とが離間して前記付勢部が前記第１状態となり、前記操作パネルが前記前方位置にあるときに前記保持部と前記取付部とが前記第１状態のときよりも接近して前記付勢部が前記第２状態となり、少なくとも前記付勢部が前記第１状態のときに、前記ボビン部の両側の軸部が各々の前記第２スリット部に入りこんだ状態で支持される
コンロ。
【請求項２】
前記保持部は、
前記一対の保持壁における前記第１スリット部よりも前側の部位を連結する第１連結部と、
前記一対の保持壁における前記第１スリット部よりも後ろ側の部位を連結する第２連結部と、
を有し、
前記第１連結部と、前記第２連結部と、前記一対の保持壁と、によって枠部が構成されており、
前記枠部は、上端部に前記付勢部を挿入する挿入口が形成され、下端部に開口部が形成され、前記挿入口と前記開口部との間が貫通した構成をなしており、
前記操作パネルが前記前方位置よりも更に前方の所定位置に配置されたときに、前記開口部が前記取付部と向かい合って配置される
請求項１に記載のコンロ。
【請求項３】
前記ボビン部の両側の軸部が前記第２スリット部から前記第１スリット部側に移動することで、前記弾性部材における前記ボビン部の周囲に巻かれた部分の外周部と前記第１連結部との間に指を挿入する第２挿入口が形成される
請求項２に記載のコンロ。
【発明の詳細な説明】
【技術分野】
【０００１】
本発明は、コンロに関するものである。
【背景技術】
【０００２】
特許文献１には、コンロ本体２と、このコンロ本体２の前面に設けられた装置ユニット２０とを備えたコンロ（ビルトインコンロ１）が開示されている。このコンロの装置ユニット２０は、前後方向に出退する操作パネル４５を備えている。この操作パネル４５には、操作パネル４５を一定速度で前方に押し出すための付勢部（定荷重バネ装置１００）が設けられている。この付勢部は、ボビン部（ドラム１０１）とこのボビン部に巻かれたシート状の弾性部材（バネ１０２）とを有している。弾性部材は、ボビン部から前方に引き延ばされた状態で、弾性部材の先端に設けられた孔部１０３が、操作パネル４５の下方に配置される下カバー６０の突出片６８に引っ掛けられている。これにより、操作パネル４５は、弾性部材の弾性復帰力によって、前方に押し出されるようになっている。
【先行技術文献】
【特許文献】
【０００３】
【特許文献１】特開２０１１−５２８４０号公報
【発明の概要】
【発明が解決しようとする課題】
【０００４】
上述した特許文献１のコンロでは、弾性部材がボビン部から引き出せるように、ボビン部を回転可能に保持する必要がある。そこで、従来、ワッシャ等を用いてボビン部が回転可能に保持されていたが、この場合、ワッシャ等を用いる分、部品点数が増加してしまうという問題があった。
【０００５】
本発明は上述した課題の少なくとも一つを解決するためになされたものであり、部品点数の増加を抑えつつ、操作パネルに対して弾性力を付与する付勢部のボビン部を回転可能に保持するコンロを提供することを目的とする。
【課題を解決するための手段】
【０００６】
本発明の一態様のコンロは、ガスバーナを収容する筐体と、前記筐体の前部に固定されるフロント部材と、
前記フロント部材に対して変位可能に取り付けられ、前記フロント部材の前側に突出した前方位置と前記前方位置のときよりも後方側に退避した退避位置とに変位する操作パネルと、
細長の弾性部材と、前記弾性部材が巻かれるとともに前記弾性部材の一端側を保持するボビン部と、を有し、前記ボビン部において前記弾性部材が巻かれる部分の両側に軸部が設けられてなる付勢部と、
を備え、
前記付勢部は、前記弾性部材の少なくとも一部が延びて延出部位となる第１状態と、前記第１状態のときの前記延出部位が前記ボビン部に巻かれる第２状態と、に変化し、前記第１状態のときに前記弾性部材において前記第２状態に復帰しようとする力が生じる構成であり、
前記操作パネルは、上面側に操作部が設けられてなるパネル本体と、前記パネル本体と一体的に構成されるとともに、前記パネル本体から後方側に延びる延設部と、を有し、
前記延設部には、前記ボビン部を回転可能に保持する保持部が形成され、
前記フロント部材は、前記操作パネルの下方に配置されるとともに自身の一部によって前記操作パネルを下方側から支持する支持部と、前記弾性部材の他端側の被取付部を取り付ける取付部と、を有し、前記操作パネルが前記前方位置と前記退避位置との間で変位することに応じて、前記保持部と前記取付部との前後方向の距離が変化する構成であり、
前記保持部は、前記ボビン部の両側の軸部を掛ける一対の保持壁を備え、
前記一対の保持壁の各々には、壁上端から下方に延びる第１スリット部と、前記第１スリット部の下端側の所定部位から前側に延びる第２スリット部と、が形成されており、
前記操作パネルが前記退避位置にあるときに前記保持部と前記取付部とが離間して前記付勢部が前記第１状態となり、前記操作パネルが前記前方位置にあるときに前記保持部と前記取付部とが前記第１状態のときよりも接近して前記付勢部が前記第２状態となり、少なくとも前記付勢部が前記第１状態のときに、前記ボビン部の両側の軸部が各々の前記第２スリット部に入りこんだ状態で支持される。
【発明の効果】
【０００７】
上記一態様のコンロによれば、少なくとも付勢部が第１状態のときに、ボビン部の両側の軸部が各々の第２スリット部に入りこんだ状態で支持されるので、ボビン部は、少なくとも付勢部が第１状態のときに、上下方向への変位が規制されるとともに、取付部の配置される前側に引っ張られた状態となる。この第１状態から第２状態へ移行する際、ボビン部は上下方向への変位が規制される。即ち、ボビン部は、ワッシャ等を用いることなく、保持部によって回転可能に保持されることとなる。したがって、このコンロによれば、部品点数の増加を抑えつつ、操作パネルに対して弾性力を付与する付勢部のボビン部を回転可能に保持することができる。
【図面の簡単な説明】
【０００８】
【図１】図１は、実施例１のガスコンロを概略的に示す正面図である。
【図２】図２は、実施例１のガスコンロを概略的に示す分解斜視図である。
【図３】図３は、フロント部材と操作パネルとが組み付けられたものを前方から見た斜視図である。
【図４】図４は、上部構成体を概略的に示す正面図である。
【図５】図５は、上部構成体を概略的に示す右側面図である。
【図６】図６は、下部構成体を後方から見た斜視図である。
【図７】図７は、下部構成体を後方から見た平面図である。
【図８】図８は、下部構成体を概略的に示す背面図である。
【図９】図９は、操作パネルを後方から見た斜視図である。
【図１０】図１０は、操作パネルを後方から見た平面図である。
【図１１】図１１は、操作パネルを後方から見た底面図である。
【図１２】図１２は、下部構成体に操作パネルを組み付けたものを後方から見た平面図である。
【図１３】図１３は、下部構成体に操作パネルを組み付けたものを概略的に示す背面図である。
【図１４】図１４は、下部構成体に操作パネルを組み付けたものを、図１２のＡ−Ａ位置で切断した左側部分の斜視図である。
【図１５】図１５は、操作パネルが下部構成体に係合された状態を示す平面図である。
【図１６】図１６は、操作パネルが下部構成体との係合が解除されて前方に移動している様子を示す平面図である。
【図１７】（Ａ）は、操作パネルが退避位置にあるときの操作パネル及び下部構成体を示す平面図であり、（Ｂ）は、退避位置での保持が解除された直後の操作パネル及び下部構成体を示す平面図であり、（Ｃ）は、操作パネルが前方位置にあるときの操作パネル及び下部構成体を示す平面図である。
【図１８】図１８は、ボビン部の両側の軸部が第２スリットに入りこんだ様子を示す斜視図である。
【図１９】図１９（Ａ）は、第１の工程後の状態を示す図であり、挿入口から取付部が視認可能な状態を示す平面図である。図１９（Ｂ）は、第２の工程後の状態を示す図であり、第２の工程の後、ボビン部の両側の軸部を第１スリット側に移動させた状態を示す平面図である。
【図２０】図２０は、下部構成体に操作パネルを組み付けたものを前方且つ下方から見た斜視図である。
【図２１】図２１は、図１５のＢ−Ｂ位置で切断した左側部分の断面図である。
【図２２】図２２は、操作パネルを前方且つ下方から見た斜視図である。
【発明を実施するための形態】
【０００９】
ここで、本発明の望ましい一例を示す。
保持部は、一対の保持壁における第１スリット部よりも前側の部位を連結する第１連結部と、一対の保持壁における第１スリット部よりも後ろ側の部位を連結する第２連結部と、を有するようにしてもよい。第１連結部と、第２連結部と、一対の保持壁と、によって枠部が構成されるようにしてもよい。枠部は、上端部に付勢部を挿入する挿入口が形成され、下端部に開口部が形成され、挿入口と開口部との間が貫通した構成をなしていてもよい。操作パネルが前方位置よりも更に前方の所定位置に配置されたときに、開口部が取付部と向かい合って配置されるようにしてもよい。この構成によれば、枠部が上下方向に貫通した構成をなすので、開口部が取付部と向かい合って配置されたときに、挿入口から取付部が視認可能となる。このため、作業者は挿入口から取付部の位置を確認しながら、弾性部材の被取付部を取付部に取り付けることができるので、取付作業が容易になる。
【００１０】
ボビン部の両側の軸部が第２スリット部から第１スリット部側に移動することで、弾性部材におけるボビン部の周囲に巻かれた部分の外周部と第１連結部との間に指を挿入する第２挿入口が形成されるようにしてもよい。この構成によれば、第２スリット部に入りこんだボビン部を第１スリット部に移動させることで、ボビン部と第１連結部との間隔が広がり、指を挿入する第２挿入口が形成される。このため、この第２挿入口から指を挿入し、その指で弾性部材の被取付部を取付部に取り付けることが可能となり、被取付部を取付部に取り付ける作業がより一層容易になる。
【００１１】
＜実施例１＞
以下、実施例１について、図面を参照して説明する。
図１、図２のように、ガスコンロ１（コンロ）は、ガスバーナ４，５，６、ガスバーナ４，５，６を収容するコンロ本体部１Ａなどを有しており、図示しないキャビネットに組み込まれるビルトインコンロとして構成されている。
【００１２】
以下の説明では、ガスコンロ１において、板状に構成された天板３の板面方向のうち、短手方向を前後方向とし、前後方向と直交する方向である天板３の長手方向を左右方向とする。更に、前後方向及び左右方向と直交する方向である天板３の板厚方向を上下方向として説明する。図１では、左右方向がガスコンロ１の左右方向であり、上下方向がガスコンロ１の上下方向である。また、図２において、左斜め下方、右斜め上方、右斜め下方、左斜め上方を、それぞれ、ガスコンロ１の前方、後方、右方、左方とする。
【００１３】
図２のように、ガスコンロ１はコンロ本体部１Ａによって外殻（ケース体）が構成されており、このコンロ本体部１Ａの内部にガスバーナ４，５，６などの各種部品が収容された構成をなす。コンロ本体部１Ａは、ガスバーナ４，５，６などの各種部品を収容する筐体２と、筐体２の上端部に固定される天板３と、筐体２の前部に固定されるフロント部材２０と、フロント部材２０の前側に装着される化粧パネル９０と、操作パネル６０と、操作パネル６０の前側に装着される化粧パネル９２と、付勢部５０と、を備える。
【００１４】
筐体２は、公知の金属材料を主体として上方側が開放した箱状に構成されている。左右に一対の側壁部（図２では、一方の側壁部２Ｃのみを図示）を備えるとともに、これら側壁部の後端部に連結される形で後壁部（図示略）が設けられる。また、筐体２の前面部（図示略）はフレーム状又は壁状に構成されており、これら前面部、側壁部、後壁部によって筐体２の内部空間の前後左右を囲む構成をなし、これら前面部、側壁部、後壁部の下部には底壁部（図示略）が連結されている。筐体２は、これらの壁部によって上部が開口した箱状形態をなしており、筐体２の上端部には、天板３が取り付けられている。
【００１５】
図１、図２のように、天板３は、板状に構成されると共にガスバーナ４，５，６を露出させるための開口部（貫通孔）が複数個形成された構成をなす。天板３は、カウンタトップ（図示略）の上側に配置される。図２のように、天板３において右手前（右端寄りかつ前端寄りの位置）にはガスバーナ（右バーナ）４、左手前（左端寄りかつ前端寄りの位置）にはガスバーナ（左バーナ）５、中央奥側にはガスバーナ（奥バーナ）６が夫々設けられている。
【００１６】
筐体２の左右方向中央寄りには、グリル部８が配置されている。グリル部８は、箱状に構成されたグリル庫、グリル庫を開閉するグリル扉８Ｂ、ガスバーナとして構成されるとともにグリル庫内に配置されるグリルバーナ（図示略）、グリル扉８Ｂの後方側においてグリル扉８Ｂと一体的に設けられる受け皿、受け皿の上に載置される焼き網などを備える。受け皿はグリル庫の底面部に載置されており、グリル扉８Ｂを前方側に引き出すように操作することで、グリル扉８Ｂとともに受け皿及び焼き網が一体的に引き出されるようになっている。なお、グリル庫にレールユニットを設けて、グリル扉８Ｂや受け皿などをレールユニットによって前後方向に案内する構成となっていてもよい。なお、天板３において後端寄りの位置には、グリル庫と連通するグリル排気口９が設けられている。
【００１７】
図１のように、筐体２の前面の右寄りには２つの点火ボタン１１，１４（点火操作部）が、左寄りにはもう２つの点火ボタン１２，１３が設けられている。点火ボタン１１は、ガスバーナ４の点火操作及び消火操作を行うための操作ボタンであり、点火ボタン１２は、ガスバーナ５の点火操作及び消火操作を行うための操作ボタンであり、点火ボタン１３は、ガスバーナ６の点火操作及び消火操作を行うための操作ボタンである。点火ボタン１４は、グリル部８のガスバーナの点火操作及び消火操作を行うための操作ボタンである。各点火ボタン１１，１２，１３，１４は、フロント部材２０の前面よりも前方へ突出して設けられ、筐体２の内部に設けられた図示しない制御回路と接続されており、使用者が押し込み操作すると、制御回路による制御により、その操作されたボタンに対応するガスバーナの点火又は消火が行われるようになっている。
【００１８】
図１のように、筐体２の前面の右寄りには２つのレバー１６Ａ，１６Ｄ（火力調整操作部）が、左寄りにはもう２つのレバー１６Ｂ，１６Ｃが設けられている。レバー１６Ａ，１６Ｂ，１６Ｃ，１６Ｄはそれぞれ、対応するガスバーナ４，５，６又はグリル部８のグリルバーナにおける火力の調整操作を行うための火力調整レバーである。点火ボタン１２，１３の下側には、ガスコンロ１に電力を供給するための電池を収容する電池ボックス１８が設けられている。
【００１９】
フロント部材２０は、例えば、金属材料又は樹脂材料を主体として構成されている。上述した筐体２には、前方に開口した収容凹部２Ａが形成されている。フロント部材２０は、グリル部８の左右方向一方側（本実施例では右側）において、この収容凹部２Ａの内部を前方から覆うように配置され、筐体２の前部に固定される。具体的には、筐体２の前面部（前面を構成する部分）の一部を覆うように筐体２に対して直接又は他部材を介して間接的に固定される構成をなしている。
【００２０】
図３には、フロント部材２０に操作パネル６０を組付けた組付状態の様子が示されている。フロント部材２０は、上部構成体２２と下部構成体２４とを有する。上部構成体２２及び下部構成体２４の各々は、全体が一体成形されている。
【００２１】
上部構成体２２は、図３〜５のように、正面視において略矩形状をなしており、収容凹部２Ａの内部を前方から覆うように収容凹部２Ａの開口部分に配置される。上部構成体２２は、前面側に第１開口部３２，３３と、第２開口部３４，３５と、を有する。第１開口部３２，３３は、前後方向に貫通した開口形状をなしており、自身の内部に上述した点火ボタン１１，１４が嵌り込むように配置される。
【００２２】
第２開口部３４，３５はそれぞれ、第１開口部３２，３３の上方に配置され、正面視において所定方向（本実施例では左右方向）に長い形態をなしている。上述したレバー１６Ａ，１６Ｄは、収容凹部２Ａの内部から前方に向かって突出した形態をなしている。第２開口部３４，３５は、これらのレバー１６Ａ，１６Ｄが後方から挿し通されるとともに、自身の内部領域がレバー１６Ａ，１６Ｄの移動経路として構成されている。即ち、レバー１６Ａ，１６Ｄは、第２開口部３４，３５を介して前方に突出した状態で配置され、突出した部分が操作されることで第２開口部３４，３５を左右方向に移動し得るようになっている。レバー１６Ａ，１６Ｄが左右方向に操作されることで、対応するガスバーナ４又はグリル部８のグリルバーナにおける火力が調整される。
【００２３】
これらの第１開口部３２，３３と第２開口部３４，３５とは一体成形されている。また、化粧パネル９０は、第１開口部３２，３３及び第２開口部３４，３５を塞がないように、第１開口部３２，３３及び第２開口部３４，３５に対応する部分が前後方向に貫通した開口形状をなしている。
【００２４】
上部構成体２２は、収容凹部２Ａの内部を前方から覆う前面部２６と、前面部２６の下側部分の左右両端部から後方に延びる一対の側面部２８，２８とを有する。各側面部２８の下側部分には、少なくとも１つ（本実施例では４つ）の連結孔２８Ａが前後方向に等間隔で形成されている。
【００２５】
下部構成体２４は、図３のように、上部構成体２２の下側に配置されるとともに上部構成体２２と共に前方側に開口した孔部３０を構成する部材である。下部構成体２４は、図６〜８のように、平面視において左右方向に長い略矩形状をなしており、底部３６と、一対のガイド壁３８，３８と、ラック部４０と、取付部４２と、被係合部４４と、を有する。また、下部構成体２４は、操作パネル６０の下方に配置されるとともに自身の一部によって操作パネル６０を下方側から支持する支持部４６を有しており、この支持部４６は、底部３６と、一対のガイド壁３８，３８と、を有する。支持部４６は、操作パネル６０がスライド可能に載置される部位であり、自身の外面によって操作パネル６０の下面を下から支えるように支持する部位である。また、支持部４６は、一対のガイド壁３８，３８によって左右方向の移動を規制しながら操作パネル６０の前後方向の移動を案内する部位でもある。
【００２６】
底部３６は、平面視において左右方向に長い略矩形状をなしており、上下方向に厚みを有する。
【００２７】
一対のガイド壁３８，３８の各々は、板状をなしており、底部３６の左右両端部からそれぞれ立ち上がり前後方向に沿って延びている。一対のガイド壁３８，３８の各々の外側面には、上部構成体２２に設けられた各連結孔２８Ａの位置に対応して連結孔２８Ａと同数（本実施例では４つ）の連結部３８Ａが形成されている。各連結部３８Ａは、左右方向外方に突出した形状をなしており、ガイド壁３８，３８が揺動することで各連結孔２８Ａに嵌まり込む。これにより、下部構成体２４が上部構成体２２に連結される。また、ガイド壁３８，３８の各々の内側面には、前後方向に沿って延びるガイド溝３８Ｂ，３８Ｂが形成されている。
【００２８】
ラック部４０は、後述のピニオン部８４と噛み合う部分であり、底部３６の上面から立ち上がり前後方向に沿って延びている。ラック部４０は、左右方向において一対のガイド壁３８，３８の間に配置される。ラック部４０は、一対のガイド壁３８，３８の一方側（本実施例では右側のガイド壁３８側）寄りに配置される。ラック部４０と一方のガイド壁３８（本実施例ではラック部４０と近い方のガイド壁３８）との間の第１空間Ｓ１には、ピニオン部８４が配置される。そして、ラック部４０の第１空間Ｓ１側の面がピニオン部８４と噛み合う。ラック部４０は、下部構成体２４の一部として、一対のガイド壁３８，３８と一体成形されている。
【００２９】
上述した底部３６には、底部３６の上面に入り込んだ異物を下方に逃がす逃がし孔３６Ｂが形成されている。逃がし孔３６Ｂは、底部３６のうち、第１空間Ｓ１の下面を構成する特定底部３６Ａに形成されており、特定底部３６Ａにおける左右方向のガイド壁３８側において前後方向に沿って少なくとも１つ（本実施例では４つ）設けられている。特定底部３６Ａの上面（第１空間Ｓ１の下面）は、左右方向において、ラック部４０側から逃がし孔３６Ｂ側に向かって下るように傾斜している。
【００３０】
取付部４２は、後述する付勢部５０の被取付部５１Ａが取り付けられる部分であり、底部３６の上面から立ち上がり前方に突出した形状をなしている。取付部４２は、下部構成体２４の左右方向において、第１空間Ｓ１とは反対側に配置される。
【００３１】
被係合部４４は、後述する操作パネル６０の係合部７０と係合する部分である。被係合部４４は、係合部７０とともに、押圧操作が行われるごとに係合状態とこの係合状態が解除された係合解除状態とに交互に切り替わるプッシュラッチ機構を構成する。被係合部４４は、底部３６の左右方向中央部の後端部から上方に立ち上がって構成されている。
【００３２】
操作パネル６０は、ガスコンロ１による調理の加熱温度、加熱時間等を設定するために用いられるものである。操作パネル６０は、フロント部材２０に対して変位可能に取り付けられる。具体的には、操作パネル６０は、フロント部材２０に組み付けられた組付状態において孔部３０内に配置され、フロント部材２０の前側に突出した前方位置と前方位置のときよりも後方側に退避した退避位置とに変位する。操作パネル６０の「前方位置」は、退避位置のときよりも操作パネル６０の前方への突出量が大きくなる所定位置であり、具体的には、操作パネル６０における操作部６４Ａ（外部操作可能に構成された操作ボタンや表示装置などが設けられた部分であり、パネル本体６４の上面部の過半領域を構成する部分）が露出する位置であり、且つ、後述する延設部６６，６６が露出しない位置である。なお、図９では、操作部６４Ａの上面部を構成する装飾カバー（上面カバー）を省略して示しており、装飾カバーの下方に配置された表示装置６４Ｂや操作ボタン６４Ｃなどを露出させて例示している。操作パネル６０の「退避位置」は、操作パネル６０の大部分又は全部が化粧パネル９０の前面よりも後方に配置される位置である。図１等で示す構成では、操作パネル６０が「退避位置」のときにフロント部材２０に取り付けられる化粧パネル９０の前面と操作パネル６０に取り付けられる化粧パネル９２の前面とが前後方向において同位置又は略同位置に揃うようになっている。図９〜１１のように、操作パネル６０は、前後方向に長く上下方向に厚みを有するベース部６２と、一対の被ガイド部６８，６８と、係合部７０とを有している。
【００３３】
ベース部６２は、パネル本体６４と、延設部６６と、を有する。パネル本体６４は、ベース部６２の前側部分を構成し、左右方向に長い平面視略矩形状をなしている。パネル本体６４は、上面側に上記操作部６４Ａが設けられている。延設部６６は、パネル本体６４と一体的に構成されるとともに、パネル本体６４から後方側に延びている。より具体的には、延設部６６は、第１延設部６６Ａと、第２延設部６６Ｂとを有する。第１延設部６６Ａは、パネル本体６４と一体的に構成されるとともに、パネル本体６４の左右方向一端側（本実施例では右側）においてパネル本体６４から後方側に延びている。第２延設部６６Ｂは、パネル本体６４と一体的に構成されるとともに、パネル本体６４の左右方向他端側（本実施例では左側）においてパネル本体６４から後方側に延びている。第１延設部６６Ａと第２延設部６６Ｂとは、左右方向に離間して配置されており、第１延設部６６Ａと第２延設部６６Ｂとの間には、後方に開口した空間が形成されている。
【００３４】
係合部７０は、上述した被係合部４４と係合する部分である。係合部７０は、パネル本体６４の後面から後方に突出した形状をなしており、第１延設部６６Ａと第２延設部６６Ｂとの間に形成された空間に配置される。
【００３５】
一対の被ガイド部６８，６８は、上述した一対のガイド壁３８，３８（フロント部材２０）によってガイドされる部分である。一対の被ガイド部６８，６８は、操作パネル６０の左右両側面の下端部から左右方向外方に突出して前後方向に延びる形状をなしている。
【００３６】
操作パネル６０の延設部６６（第２延設部６６Ｂ）には、上方に開口した第２空間Ｓ２が形成されており、この第２空間Ｓ２には、付勢部５０が収容される。
【００３７】
この付勢部５０は、少なくとも退避位置にある操作パネル６０に対して前方側への力を継続的に付与する部分である。付勢部５０は、例えば定荷重ばねとして構成されており、細長の弾性部材５１と、弾性部材５１が巻かれるとともにこの弾性部材５１の一端側を保持するボビン部５２と、を有する。弾性部材５１は、例えば金属製であり、細長のシート状に構成されている。ボビン部５２は、後述する胴部５２Ａに弾性部材５１の一端側の端部付近が接触する形で弾性部材５１が巻かれており、自身に巻かれた弾性部材５１の摩擦力によって、弾性部材５１の一端側を保持する。具体的には、弾性部材５１がある程度の長さ以上引き延ばされない限り、弾性部材５１の一端側の端部付近が胴部５２Ａが巻かれた状態が維持されるようになっており、この状態が維持されていれば、弾性部材５１と胴部５２Ａとが連結された状態が保たれる。なお、ボビン部５２は、弾性部材５１の一端側を保持可能な構成であればよく、例えば、弾性部材５１の一端側をボビン部５２に固定することで保持する構成としてもよい。ボビン部５２において弾性部材５１が巻かれる部分（ボビン部５２）の両側には、軸部５３が設けられている。
【００３８】
付勢部５０は、弾性部材５１の少なくとも一部が延びて延出部位となる第１状態（図１７（Ａ））と、第１状態のときの延出部位がボビン部５２に巻かれる第２状態（図１７（Ｃ））と、に変化し、第１状態のときに弾性部材５１において第２状態に復帰しようとする力が生じる構成となっている。弾性部材５１の他端側には、孔状の被取付部５１Ａが形成されており、この被取付部５１Ａが上述した取付部４２に引っ掛かることで取付部４２に取り付けられる。付勢部５０では、図１７（Ａ）のような第１状態のときに、弾性部材５１におけるボビン部５２から延びている部分においてボビン部５２に巻かれようとする力が生じるため、第１状態のときには、弾性部材５１の端部付近に形成された被取付部５１Ａにおいてボビン部５２側に近づこうとする力が生じるようになっている。第１状態は、具体的には、図１７（Ａ）のように、操作パネル６０が前方位置（それ以上前側に変位しないように規制された位置）にあるときの付勢部５０の状態であり、このときに弾性部材５１においてボビン部５２から延びる部分が延出部位の一例に相当する。また、第２状態は、具体的には、図１７（Ｃ）のように、操作パネル６０が退避位置（それ以上後ろ側に変位しないように規制された位置）にあるときの付勢部５０の状態であり、このときには、上記延出部位の一部（過半領域に相当する大部分）がボビン部５２に巻かれる状態となる。図１７（Ｃ）のような第２状態のときにも、被取付部５１Ａにおいてボビン部５２側に近づこうとする力が生じるようになっている。
【００３９】
図１０、図１４のように、ボビン部５２は、弾性部材５１が巻かれる円柱状且つ軸状の胴部５２Ａと、胴部５２Ａの両端部付近において胴部５２Ａの半径方向にフランジ状に張り出すように設けられる円盤状の鍔部５２Ｂ，５２Ｂと、を有する。胴部５２Ａの長さ寸法は、弾性部材５１の幅寸法よりも僅かに長い。鍔部５２Ｂの径寸法は、胴部５２Ａの径寸法よりも大きく、且つ、第２状態における弾性部材５１の径寸法よりも大きい。上述した軸部５３，５３は、鍔部５２Ｂの外側面において胴部５２Ａの中心線（円柱の中心）の延長線上に設けられ、鍔部５２Ｂ，５２Ｂのそれぞれの外面（弾性部材５１が巻かれる側とは反対側の板面）からの胴部５２Ａの中心線に沿った向きに突出している。
【００４０】
操作パネル６０の下面には、ダンパ装置８２が固定される。ダンパ装置８２は、ピニオン部８４と、減衰部８６とを有する。ピニオン部８４は、下部構成体２４（フロント部材２０）のラック部４０と噛み合うように配置される。減衰部８６は、例えばロータリーダンパとして構成されており、ピニオン部８４の回転エネルギーを減衰させる機能を有する。
【００４１】
図１２〜１４のように、操作パネル６０は、自身の被ガイド部６８，６８が、下部構成体２４（フロント部材２０）におけるガイド壁３８，３８のガイド溝３８Ｂ，３８Ｂに挿通されることで、下部構成体２４（フロント部材２０）に組み付けられる。その際、第２空間Ｓ２に収容された付勢部５０の被取付部５１Ａが下部構成体２４（フロント部材２０）の取付部４２に取り付けられる。また、操作パネル６０に固定されたダンパ装置８２のピニオン部８４は、ラック部４０に噛み合う。
【００４２】
操作パネル６０が下部構成体２４（フロント部材２０）に組み付けられた状態（組付状態）では、ガイド壁３８，３８が、被ガイド部６８，６８に対向して配置される。更に、ラック部４０は、ピニオン部８４が配置される第１空間Ｓ１と、付勢部５０が収容される第２空間Ｓ２とを仕切る構成で配置される。即ち、ラック部４０は、ピニオン部８４に対して付勢部５０側に配置される。更に、操作パネル６０の左右方向の一方側（本実施例では左側）に付勢部５０が配置されるとともに、他方側（本実施例では右側）にピニオン部８４が配置される。より具体的には、操作パネル６０の左右方向の中央位置よりも一方側（左側）且つ操作パネル６０の前後方向中央位置よりも一方側（後方側）に付勢部５０が配置されている。付勢部５０は、操作パネル６０の左右方向中央位置よりも一方側（左側）且つ操作パネル６０の前後方向中央位置よりも一方側（後方側）の所定部位（具体的には、付勢部５０を保持する保持部１１０付近）を継続的に前側に押すように力を加え続ける。一方で、操作パネル６０の左右方向の中央位置よりも他方側（右側）且つ操作パネル６０の前後方向中央位置付近にピニオン部８４が配置されている。更に、ピニオン部８４は、操作パネル６０が図１５で示す退避位置にあるとき及び退避位置から前方位置に変位するまでの間は、左右方向他方側（右側）のガイド壁３８の前端部３８Ｃよりも後方側及びこのガイド壁３８に形成されたガイド溝３８Ｂの前端部よりも後方側に位置するようになっている。更に、底部３６は、被ガイド部６８，６８の下方側において被ガイド部６８，６８と対向して配置される。
【００４３】
下部構成体２４（フロント部材２０）に組み付けられた操作パネル６０（組付状態にある操作パネル６０）は、下部構成体２４（フロント部材２０）のガイド壁３８，３８に沿って前後方向に移動する。即ち、ガイド壁３８，３８は、被ガイド部６８，６８の移動の際に被ガイド部６８，６８を案内する。
【００４４】
図１７（Ａ）（Ｂ）（Ｃ）には、操作パネル６０の変化を示しており、図１７（Ａ）は、操作パネル６０が退避位置に配置された状態（図１５と同様の状態）であり、図１７（Ｂ）は、退避位置での保持が解除された直後の状態（図１６と同様の状態）であり、図１７（Ｃ）は、操作パネル６０が前方位置に配置された状態（図１２と同様の状態）である。
【００４５】
操作パネル６０は、図１５、図１７（Ａ）のように、係合部７０が下部構成体２４（フロント部材２０）の被係合部４４に係合した状態では、退避位置に配置される。付勢部５０は、操作パネル６０が退避位置に配置されているときに、付勢部５０の少なくとも一部が直線状に延びた状態で配置される。このとき、付勢部５０の被取付部５１Ａ（図１１参照）はボビン部５２（付勢部５０の基端部）よりも前方側において下部構成体２４の取付部４２に取り付けられるので、付勢部５０の被取付部５１Ａがボビン部５２（付勢部５０の基端部）を前方側に引っ張るように作用する。即ち、付勢部５０は、少なくとも退避位置にある操作パネル６０に対して前方側への移動力を継続的に付与する。
【００４６】
操作パネル６０が退避位置に配置された状態において、操作パネル６０が後方に押圧されると、図１６、図１７（Ｂ）のように係合部７０と被係合部４４との係合状態が解除される。そして、付勢部５０が操作パネル６０に付与する移動力によって、操作パネル６０が前方側に移動する。このとき、操作パネル６０に加わる移動力は、ラック部４０及びピニオン部８４を介して減衰部８６に伝達され、減衰部８６によって減衰される。
【００４７】
本構成では、操作パネル６０が図１６、図１７（Ｂ）のような状態（退避位置での保持状態が開示された直後の状態）となり、付勢部５０の付勢によって操作パネル６０が前方側に移動しようとしたときに、操作パネル６０の左右方向一方側（左右方向において付勢部５０が配置される側）がより強く前側に引っ張られることになる。このような引っ張り動作が生じると、操作パネル６０では、左右方向一方側が他方側よりも早く前側に移動しようとする回転力（即ち、左右方向他方側が左右方向一方側よりも遅れるような回転力）が継続的に生じやすくなり、この回転力により、ピニオン部８４を左右方向一方側に向かわせようとする力が継続的に加わる。より具体的には、図１６のように、下部構成体２４に保持される操作パネル６０において前端部３８Ｃ付近を支点とするような回転力（図１６において反時計回りの向きの回転力）が生じ、左側が右側より前側に位置するような傾きを生じさせようとする力が継続的に加わる。このような傾きを生じさせようとする力が継続的に生じると、第１延設部６６Ａ及びその前側部分において前端部３８Ｃよりも後方側に位置する部位を左右方向一方側（付勢部５０側）に寄せようとする力が継続的に生じることになる。このような作用が生じるため、図１６のように付勢部５０の付勢によって操作パネル６０が前方側に移動しようとするときには、ピニオン部８４がラック部４０に継続的に押し付けられるように作用しながら移動しやすくなる。よって、ピニオン部８４とラック部４０との噛み合いが外れにくい状態で操作パネル６０を前方側に移動させることができる。
【００４８】
付勢部５０から付与された移動力によって前方側に移動した操作パネル６０は、図１６、図１７（Ｂ）のような状態を経て、図１７（Ｃ）のように前方位置に配置される。また、前方位置に配置された操作パネル６０が孔部３０内に押し込まれ、係合部７０が被係合部４４に係合すると、操作パネル６０が退避位置に配置される。
【００４９】
次に、主に図１８〜２１を参照して、付勢部５０を操作パネル６０及び下部構成体２４に取り付ける構成について説明する。
図１９に示すように、第１延設部６６Ａ及び第２延設部６６Ｂのうちの一方の延設部６６（本実施例では第２延設部６６Ｂ）には、付勢部５０を保持する保持部１１０が形成されている。保持部１１０は、付勢部５０のボビン部５２を回転可能に保持する部分であり、具体的には、上述した胴部５２Ａの軸方向が左右方向に沿った方向又は左右方向に対して僅かに傾斜した方向となり、上述した軸部５３，５３の突出方向が左右方向に沿った方向又は左右方向に対して僅かに傾斜した方向となるようにボビン部５２を回転可能に保持する。ボビン部５２は、このように保持されることで、左右方向に沿った方向又は左右方向に対して僅かに傾斜した方向を回転軸の向きとするように回転可能とされている。保持部１１０は、取付部４２の後方側に配置されており、図１７（Ａ）（Ｃ）のように、操作パネル６０が前方位置にあるときでも退避位置にあるときでも、取付部４２の後方側に位置するようになっている。そして、保持部１１０は、操作パネル６０が前方位置と退避位置との間で変位することに応じて、取付部４２との前後方向の距離が変化する構成となっている。
【００５０】
保持部１１０は、図１８に示すように、ボビン部５２の両側の軸部５３を掛ける一対の保持壁１１２，１１３を備える。一対の保持壁１１２，１１３の各々は、前後方向に沿って延び、各々の厚さ方向が左右方向に沿った方向となっている。一対の保持壁１１２，１１３の各々には、第１スリット部１１４と、第２スリット部１１６と、が形成されている。第１スリット部１１４及び第２スリット部１１６の各々の幅寸法は、軸部５３の径寸法よりも僅かに大きい。
【００５１】
第１スリット部１１４は、保持壁１１２の上端部から下方に延びており、下端部が保持壁１１２の上下方向の略中央まで達している。第２スリット部１１６は、第１スリット部１１４の下端側の所定部位（本実施例では、第１スリット部１１４の下端）から前側に延びている。即ち、第２スリット部１１６は、保持壁１１２の上下方向の略中央において前後方向に延びている。
【００５２】
保持部１１０は、第１連結部１１８と、第２連結部１２０と、を有する。第１連結部１１８は、一対の保持壁１１２，１１３における第１スリット部１１４よりも前側の部位を連結する部分である。第２連結部１２０は、一対の保持壁１１２，１１３における第１スリット部１１４よりも後ろ側の部位を連結する部分である。第１連結部１１８及び第２連結部１２０は、各々左右方向に沿って延びている。
【００５３】
一対の保持壁１１２，１１３、第１連結部１１８、及び第２連結部１２０の上端部の高さ位置は揃っている。一対の保持壁１１２，１１３、の下端部の高さ位置は揃っており、第１連結部１１８及び第２連結部１２０の下端部の高さ位置よりも低い。第１連結部１１８及び第２連結部１２０の下端部の高さ位置は揃っている。
【００５４】
一対の保持壁１１２，１１３と、第１連結部１１８と、第２連結部１２０と、によって枠部１２２が構成されている。この枠部１２２は、上端部に付勢部５０を挿入する挿入口１２４が形成され、下端部に開口部１２６が形成され、挿入口１２４と開口部１２６との間が貫通した構成をなしている。枠部１２２の左右方向の内側寸法は、ボビン部５２の幅寸法よりも僅かに大きい。枠部１２２の前後方向の内側寸法は、ボビン部５２の鍔部５２Ｂの径寸法よりも大きい（鍔部５２Ｂの径寸法の略２倍の長さ寸法）。一対の保持壁１１２，１１３の高さ寸法は、鍔部５２Ｂの径寸法と略同じである。第１連結部１１８及び第２連結部１２０の高さ寸法は、鍔部５２Ｂの径寸法よりも小さい。
【００５５】
第１スリット部１１４は、第１連結部１１８と第２連結部１２０との間において、第２連結部１２０寄りに配置される。第２スリット部１１６は、第１連結部１１８と第２連結部１２０との間に納まるように配置される。より具体的には、第２スリット部１１６は、第１連結部１１８側の端部が第１連結部１１８と第２連結部１２０との略中央に配置され、第２連結部１２０側の端部が第１連結部１１８と第２連結部１２０との間において第２連結部１２０寄りに配置される。
【００５６】
ここで、付勢部５０の設置方法の一例を説明する。
付勢部５０をコンロ１（操作パネル６０及び下部構成体２４）に設置する工程には、一対の保持壁１１２，１１３にボビン部５２の両側の軸部５３を掛ける第１の工程と、弾性部材５１の被取付部５１Ａを取付部４２に引っ掛ける第２の工程とが含まれる。ここでは、第１の工程を行ってから第２の工程を行う例について説明するが、第２の工程を行ってから第１の工程を行うようにしてもよいし、両工程を並行して行うようにしてもよい。この第１の工程及び第２の工程は、下部構成体２４に上部構成体２２が組み付けられていない状態で行ってもよく、下部構成体２４に上部構成体２２が組み付けられた状態で行ってもよい。以下では、下部構成体２４に上部構成体２２が組み付けられていない状態で第１の工程及び第２の工程を行う場合を説明する。
【００５７】
第１の工程は、ボビン部５２の鍔部５２Ｂ，５２Ｂ間の軸部に弾性部材５１が円筒状に巻かれて形状が保持された状態（弾性部材５１の先端部側が引っ張られていない状態）となっている円柱状の付勢部５０を、枠部１２２内に収容する工程である。第１の工程では、例えば作業者が付勢部５０を指等で把持しつつ移動させ、付勢部５０におけるボビン部５２の両側の各軸部５３を、一対の保持壁１１２，１１３の各第１スリット部１１４にそれぞれ入り込ませて引っ掛かった状態とする。このような作業により、図１８、図１９（Ａ）のように、両鍔部５２Ｂ，５２Ｂ及び弾性部材５１が巻かれた部分（ボビン部５２における両鍔部５２Ｂ，５２Ｂ間の軸部に弾性部材５１が巻かれてなる円柱状の部分）が一対の保持壁１１２，１１３の間に配置され、枠部１２２内に収容される。この収容状態のときには、各軸部５３は、一対の保持壁１１２，１１３に形成された各第２スリット部１１６での移動が許容され、図１８、図１９（Ａ）のように第２スリット部１１６の前端部に当接した状態にもなり得るし、第２スリット１１６の後端部に当接した状態にもなり得る。
【００５８】
第１の工程の後には、第２の工程を行う。第２の工程は、弾性部材５１の被取付部５１Ａを取付部４２に引っ掛ける工程である。本構成では、操作パネル６０が下部構成体２４に連結された状態において、操作パネル６０が上述した前方位置（図１７（Ｃ）参照）よりも更に前方の所定位置に配置されたときに、開口部１２６が取付部４２と向かい合って配置され、開口部１２６の開口領域の真下に取付部４２が位置する状態となる。従って、第２の工程では、例えば、作業者が操作パネル６０に連結された下部構成体２４を把持しつつ前後方向へ相対移動させ、取付部４２の前後方向の位置がボビン部５２と第１連結部１１８との間の位置になるように配置する。本構成では、作業者が挿入口１２４付近を上方から上下方向に見たときに挿入口１２４の開口領域及び開口部１２６の開口領域を介して枠部１２２の下方が視認可能となる。このため、作業者は、枠部１２２の上方から挿入口１２４及び開口部１２６を介して枠部１２２の下方を覗きながら下部構成体２４を前後方向に動かすことで、取付部４２を開口部１２６の開口領域の真下（前後方向においてボビン部５２と第１連結部１１８との間の位置）に容易に配置することができる。
【００５９】
ユーザは、取付部４２を開口部１２６の開口領域の真下（前後方向においてボビン部５２と第１連結部１１８との間の領域）に配置した後、その取付部４２に対して弾性部材５１の被取付部５１Ａを引っ掛ける。ユーザは、被取付部５１Ａを取付部４２に引っ掛ける際、ボビン部５２の両側の軸部５３を第２スリット部１１６から第１スリット部１１４側に移動させることもできる。こうすることで、弾性部材５１におけるボビン部５２の周囲に巻かれた部分の外周部と第１連結部１１８との間に、指を挿入する第２挿入口１２８がより大きく形成される。この状態において、ユーザは、第２挿入口１２８に指を挿入し、弾性部材５１の先端側の表面を押しながら位置調整しつつ被取付部５１Ａを取付部４２に引っ掛ける。なお、被取付部５１Ａを取付部４２に引っ掛けた後でも、ボビン部５２は、前後方向に多少移動可能であり、例えば、図１９（Ｂ）のように第１スリット部１１４の下端に移動させることもできるし、第２スリット部１１６の前端に移動させることもできる。このように被取付部５１Ａを取付部４２に引っ掛けた後には、その引っ掛けた位置よりも操作パネル６０が後方側に退避した状態（例えば、図１５の状態）に変化させ、その状態で下部構成体２４に対して上部構成体２２を組み付ける。下部構成体２４に上部構成体２２が組み付けられた状態では、操作パネル６０が図１９（Ｂ）の位置まで移動せず、図１７（Ｃ）で示す前方位置よりも前には移動しないように移動が規制される。このようにして、付勢部５０の設置が完了する。
【００６０】
図２１に示すように、操作パネル６０及び下部構成体２４に付勢部５０が設置された状態では、付勢部５０（鍔部５２Ｂ）の上端部が枠部１２２（保持部１１０）の上端部と略同じ高さ位置となり、付勢部５０（鍔部５２Ｂ）の下端部が枠部１２２（保持部１１０）の下端部よりも低い高さ位置に配置される。
【００６１】
操作パネル６０及び下部構成体２４に設置された付勢部５０は、以下のように動作する。付勢部５０は、操作パネル６０が退避位置にあるときには保持部１１０と取付部４２とが離間して第１状態となり、操作パネル６０が前方位置にあるときには保持部１１０と取付部４２とが第１状態のときよりも接近して第２状態となり、少なくとも第１状態のときにボビン部５２の両側の軸部５３が各々の第２スリット部１１６に入りこんだ状態で支持される。即ち、付勢部５０は、保持部１１０によって回転可能に保持される。
【００６２】
次に、主に図１１，２２を参照して、操作パネル６０の配線について説明する。
コンロ１は、図１１に示すように、１以上の電線１４０を備えている。この電線１４０は、一端側がパネル本体６４に接続されており、パネル本体６４の後ろ側から後方へ延びている。
【００６３】
図１１及び図２２に示すように、上述した第１延設部６６Ａ及び第２延設部６６Ｂのうちの一方の延設部６６、より具体的には、上述した第１延設部６６Ａ及び第２延設部６６Ｂのうちのグリル部８に近い側の延設部６６（本実施例では第２延設部６６Ｂ）には、パネル本体６４から延びる電線１４０の通路を構成する溝部１４２が形成されている。また、溝部１４２は、一方の延設部６６の下側に形成されている。
【００６４】
溝部１４２は、保持部１１０の左右方向片側（本実施例ではグリル部８側）に配置されるとともに、保持部１１０の前側から保持部１１０の後ろ側へと続くように形成されている。より具体的には、溝部１４２は、底面部１４４と、底面部１４４から下方に突出して前後方向に延びる第１壁部１４６及び第２壁部１４８と、を備える。第１壁部１４６及び第２壁部１４８は互いに対向する。第１壁部１４６は、第２壁部１４８よりもグリル部８側に配置されている。
【００６５】
第１壁部１４６及び第２壁部１４８の少なくともいずれか（本実施例では第２壁部１４８）において、保持部１１０よりも後方側には溝部１４２から右側又は左側（本実施例では右側）に開放した開放部１４９が形成されている。この開放部１４９は、第１壁部１４６及び第２壁部１４８のうち、グリル部８から遠い側の壁部（本実施例では第２壁部１４８）において、グリル部８から離れる側（本実施例では右側）に向かって開放している。
【００６６】
溝部１４２には、溝部１４２内に配置された電線１４０をガイドする少なくとも１つ（本実施例では２つ）の電線ガイド部１５０が設けられている。電線ガイド部１５０の各々は、台座１５２と、台座１５２に固定される挿通部１５４と、を有する。台座１５２は、直方体状をなしており、底面部１４４上に配置される。挿通部１５４は、台座１５２に連結されており、電線１４０が挿通される貫通孔１５６が形成されている。
【００６７】
２つの電線ガイド部１５０のうちの第１電線ガイド部１５０Ａは、保持部１１０よりもグリル部８側の溝部１４２内に配置されている。第１電線ガイド部１５０Ａの貫通孔１５６は、前後方向に貫通されているとともに、第１壁部１４６と第２壁部１４８との間における第１壁部１４６寄りの位置に配置されている。２つの電線ガイド部１５０のうち第２電線ガイド部１５０Ｂは、溝部１４２における後端部寄りに配置されている。第２電線ガイド部１５０Ｂの貫通孔１５６は、前方側の開口が前方斜め左側（グリル部８側）を向いており、後方側の開口が後方斜め右側（グリル部８とは反対側）を向いている。
【００６８】
電線１４０は、溝部１４２内において保持部１１０の前側から後ろ側へと続くように取り付けられている。より具体的には、電線１４０は、第１電線ガイド部１５０Ａの貫通孔１５６、及び第２電線ガイド部１５０Ｂの貫通孔１５６に挿通されている。更に、電線１４０は、開放部１４９を介して溝部１４２内外に跨るように取り付けられている。これにより、パネル本体６４から延びる電線１４０は、保持部１１０の周りを、グリル部８側を通って半周し、開放部１４９から抜けるように配置される。
【００６９】
次に、本構成の効果を例示する。
本構成のコンロ１では、少なくとも付勢部５０が第１状態のときに、ボビン部５２の両側の軸部５３が各々の第２スリット部１１６に入りこんだ状態で支持されるので、ボビン部５２は、少なくとも付勢部５０が第１状態のときに、上下方向への変位が規制されるとともに、取付部４２の配置される前側に引っ張られた状態となる。この第１状態から第２状態へ移行する際、ボビン部５２は上下方向への変位が規制される。即ち、ボビン部５２は、ワッシャ等を用いることなく、保持部１１０によって回転可能に保持されることとなる。したがって、このコンロ１によれば、部品点数の増加を抑えつつ、操作パネル６０に対して弾性力を付与する付勢部５０のボビン部５２を回転可能に保持することができる。
【００７０】
更に、保持部１１０は、一対の保持壁１１２，１１３における第１スリット部１１４よりも前側の部位を連結する第１連結部１１８と、一対の保持壁１１２，１１３における第１スリット部１１４よりも後ろ側の部位を連結する第２連結部１２０と、を有している。コンロ１は、第１連結部１１８と、第２連結部１２０と、一対の保持壁１１２，１１３と、によって枠部１２２が構成されている。この枠部１２２は、上端部に付勢部５０を挿入する挿入口１２４が形成され、下端部に開口部１２６が形成され、挿入口１２４と開口部１２６との間が貫通した構成をなしている。開口部１２６は、操作パネル６０が前方位置よりも更に前方の所定位置に配置されたとき（具体的には、操作パネル６０が前方位置よりも更に前方へ移動することを規制する上部構成体が組み付けられていない状態で前方位置よりも更に前方の所定位置に配置されたとき）に、取付部４２と向かい合って配置される。この構成によれば、枠部１２２が上下方向に貫通した構成をなすので、開口部１２６が取付部４２と向かい合って配置されたときに、挿入口１２４から取付部４２が視認可能となる。このため、作業者は挿入口１２４から取付部４２の位置を確認しながら、弾性部材５１の被取付部５１Ａを取付部４２に取り付けることができるので、取付作業が容易になる。
【００７１】
更に、コンロ１は、ボビン部５２の両側の軸部５３が第２スリット部１１６から第１スリット部１１４側に移動することで、弾性部材５１におけるボビン部５２の周囲に巻かれた部分の外周部と第１連結部１１８との間に指を挿入する第２挿入口１２８が形成されるようになっている。
この構成によれば、第２スリット部１１６に入りこんだボビン部５２を第１スリット部１１４に移動させることで、ボビン部５２と第１連結部１１８との間隔が広がり、指を挿入する第２挿入口１２８が形成される。このため、この第２挿入口１２８から指を挿入し、その指で弾性部材５１の被取付部５１Ａを取付部４２に取り付けることが可能となり、被取付部５１Ａを取付部４２に取り付ける作業がより一層容易になる。
【００７２】
＜他の実施例＞
本発明は上記記述及び図面によって説明した実施例に限定されるものではなく、例えば次のような例も本発明の技術的範囲に含まれる。
【００７３】
上述した実施例１では、ガイド壁３８を下部構成体２４に設ける構成としたが、フロント部材２０であれば下部構成体２４以外（例えば上部構成体２２）に設けるようにしてもよい。
【００７４】
上述した実施例１では、操作パネル６０の左右方向の左側に付勢部５０が配置されるとともに、右側にピニオン部８４が配置されるようにした。しかし、操作パネル６０の左右方向の右側に付勢部５０が配置されるとともに、左側にピニオン部８４が配置されるようにしてもよい。また、付勢部５０及びピニオン部８４が、操作パネル６０の左右方向の一方側に偏って配置されるようにしてもよいし、付勢部５０及びピニオン部８４のうち少なくともいずれか一方が操作パネル６０の左右方向中央部に配置されるようにしてもよい。
【符号の説明】
【００７５】
１…ガスコンロ（コンロ）
２…筐体
４，５，６…ガスバーナ
２０…フロント部材
４６…支持部
５０…付勢部
５１…弾性部材
５２…ボビン部
５３…軸部
６０…操作パネル
６４…パネル本体
６６…延設部
１１０…保持部
１１２，１１３…保持壁
１１４…第１スリット部
１１６…第２スリット部
１１８…第１連結部
１２０…第２連結部
１２２…枠部
１２４…挿入口
１２６…開口部
１２８…第２挿入口
【図１】
2020085421.tif 000003
【図２】
2020085421.tif 000004
【図３】
2020085421.tif 000005
【図４】
2020085421.tif 000006
【図５】
2020085421.tif 000007
【図６】
2020085421.tif 000008
【図７】
2020085421.tif 000009
【図８】
2020085421.tif 000010
【図９】
2020085421.tif 000011
【図１０】
2020085421.tif 000012
【図１１】
2020085421.tif 000013
【図１２】
2020085421.tif 000014
【図１３】
2020085421.tif 000015
【図１４】
2020085421.tif 000016
【図１５】
2020085421.tif 000017
【図１６】
2020085421.tif 000018
【図１７】
2020085421.tif 000019
【図１８】
2020085421.tif 000020
【図１９】
2020085421.tif 000021
【図２０】
2020085421.tif 000022
【図２１】
2020085421.tif 000023
【図２２】
2020085421.tif 000024